(57)【要約】【課題】キッチンキャビネット内に設置した誘導加熱調理器と熱機器を同時に使用できるようにすること。【解決手段】吸気口カバー３９に吸気筒４０を取り付け、本体３１組込み後に吸気筒４０の端面開口部４１をキッチンキャビネット５１に設けた隙間５４に近接できるように取り付けたことにより、キッチンキャビネット５１の外側から冷却用の空気を吸い込んで本体３１内を冷却することができ、熱機器との同時使用が可能となる。【選択図】図１
2007335087.tif 000002
【特許請求の範囲】
【請求項１】
本体の天面を形成し被加熱物を載置するトッププレートと、前記トッププレートの内側に配置され被加熱物を加熱する加熱部と、前記加熱部の出力を制御する制御回路と、前記加熱部や制御回路を冷却する冷却ファンと、前記冷却ファン等を内蔵し本体下部を形成するとともに箱状のキャビネットに設けた取り付け穴に設置される下枠と、前記冷却ファン近傍の下枠に設けられた吸気口と、前記吸気口を覆う吸気口カバーと、前記吸気口カバーの側面に取り付けられ端面開口部から冷却用の空気を吸い込む吸気筒とを備え、設置後に前記キャビネットに形成された隙間に対し前記端面開口部が近接できるように吸気筒を伸長可能に取り付けた誘導加熱調理器。
【請求項２】
前記吸気筒を縮めた時に端面開口部が前記下枠の側面よりも内側に位置する請求項１に記載の誘導加熱調理器。
【請求項３】
前記吸気口カバーを前記吸気口に対し回動可能に取り付けるとともに、前記吸気筒の先端部を分離して水平方向に回動可能に取り付けた請求項１または２に記載の誘導加熱調理器。
【請求項４】
前記吸気筒の端面開口部を上下方向に変位可能に取り付けた請求項１〜３のいずれか１項に記載の誘導加熱調理器。
【請求項５】
前記端面開口部の一部を遮蔽する遮蔽板を端面開口部に対して平行に摺動自在に取り付けた請求項１または２に記載の誘導加熱調理器。
【請求項６】
前記遮蔽板を複数枚で構成するとともに遮蔽板を重ね合わせ可能に取り付けた請求項５に記載の誘導加熱調理器。
【請求項７】
前記吸気口カバーで前記下枠下面を覆い、下枠の下面に吸気口カバーで囲まれた空気層を形成した請求項５または６に記載の誘導加熱調理器。
【請求項８】
前記下枠を貫通する連通パイプを前記本体内側の排気口近傍に取り付け、前記空気層と前記排気口を連通した請求項７に記載の誘導加熱調理器。
【発明の詳細な説明】
【技術分野】
【０００１】
本発明は、キッチンキャビネットなどに組み込んで使用する誘導加熱調理器に関するものである。
【背景技術】
【０００２】
従来、この種の誘導加熱調理器は、本体に組み込んだ冷却ファンでキッチンキャビネット内の空気を吸い込んで本体内に送風し、本体内の温度上昇を抑えるものがある（例えば、特許文献１参照）。
【０００３】
その構成は図１３、図１４に示すように、本体１の外郭は内部部品を収容する下枠２と、下枠２の上方を覆い周囲をプレート枠３で囲んだトッププレート４で構成されている。トッププレート４は下枠２の外周よりも外側に張り出し、さらにキッチンキャビネット２１の天面に設けた取り付け穴２２よりも幅と奥行きを大きくしてある。下枠２を取り付け穴２２からキッチンキャビネット２１内に落とし込むと、下枠２が取り付け穴２２から吊り下げられた状態で組み込まれる。トッププレート４の内側には加熱コイルなどで構成された加熱部５が配置され、トッププレート４上に載置した鍋などの被加熱物を加熱する。加熱部５の下方には加熱部５の出力を制御する制御回路６が設けられ、制御回路６の横には冷却ファン７が取り付けられている。冷却ファン７近傍の下枠２の底面には吸気口８が設けられ、加熱部５に通電すると冷却ファン７も回転し、キッチンキャビネット２１内の空気が吸気口８を通って本体１内に吸い込まれ、加熱部５や制御回路６側を冷却する。加熱部５や制御回路６で温められた空気はプレート枠３の後方に設けた排気口９から排気される。
【特許文献１】特開平１１−３５４２６３号公報
【発明の開示】
【発明が解決しようとする課題】
【０００４】
しかしながら、前記従来の構成では、キッチンキャビネット２１下部の空き空間にオーブンレンジなどの熱機器２３が設置された場合に、熱機器２３を使用すると熱機器２３の外郭２４が熱くなりその熱でキッチンキャビネット２１内の空気が温められる。そして、この状態で誘導加熱調理器を使用すると、冷却ファン７が温められた空気を吸い込んで冷却が悪くなるため、熱機器２３を同時に使用できないという課題を有していた。
【０００５】
本発明は前記従来の課題を解決するもので、キッチンキャビネット内に設置した誘導加熱調理器と熱機器を同時に使用できるようにすることを目的とする。
【課題を解決するための手段】
【０００６】
前記従来の課題を解決するために、本発明の誘導加熱調理器は、吸気口カバー側面に吸気筒を取り付け、本体組込み後に吸気筒の端面開口部がキッチンキャビネットに形成された隙間に近接できるように伸長可能に取り付けたものである。
【０００７】
これによって、キッチンキャビネットの外側から冷却用の空気を吸い込んで本体内を冷却することができ、熱機器との同時使用が可能になる。
【発明の効果】
【０００８】
本発明の誘導加熱調理器は、キッチンキャビネットの外側から冷却用の空気を吸い込んで本体内を冷却することができ、熱機器との同時使用が可能になる。
【発明を実施するための最良の形態】
【０００９】
第１の発明は、吸気口カバーの側面に吸気筒を取り付け、本体組込み後に吸気筒の端面開口部がキッチンキャビネットに形成された隙間に近接できるように伸長可能に取り付けたことにより、キッチンキャビネットの外側から冷却用の空気を吸い込んで本体内を冷却することができ、熱機器との同時使用が可能になる。
【００１０】
第２の発明は、特に第１の発明において、吸気筒を縮めた時に端面開口部が下枠の側面よりも内側に位置するようにしてあり、設置時には本体を傾けて取り付け穴に落とし込む必要がなく設置作業を楽に行うことができる。
【００１１】
第３の発明は、特に第１〜２のいずれか１つの発明において、吸気口カバーを吸気口に対し回動可能に取り付けるとともに吸気筒の先端部を分離して水平方向に回動可能に取り付けたことにより、オーブンレンジの仕様によって吸気する位置を変えることができる。
【００１２】
第４の発明は、特に第１〜３のいずれか１つの発明において、吸気筒の端面開口部を上下方向に変位可能に取り付けてあり、位置が上下方向にずれた端面開口部と隙間の位置を合わせ吸気させることができる。
【００１３】
第５の発明は、特に第１〜２のいずれか１つの発明において、端面開口部の一部を遮蔽する遮蔽板を端面開口部に対して平行に摺動自在に取り付けたことにより、遮蔽板の位置をずらして吸気する位置を変えることができる。
【００１４】
第６の発明は、特に第５の発明において、遮蔽板を複数枚で構成するとともに遮蔽板を重ね合わせ可能に取り付けたことにより、端面開口部の開口面積を大きく取りながら吸気する位置を変えることができる。
【００１５】
第７の発明は、特に第５〜６のいずれか１つの発明において、吸気口カバーで下枠下面を覆い下枠の下面に吸気口カバーで囲まれた空気層を形成したことにより、本体の下に設置した熱機器を使用した時の熱が下枠に伝わるのを防ぎ、本体内の温度上昇を低く抑えることができる。
【００１６】
第８の発明は、特に第７の発明において、下枠を貫通する連通パイプを本体内側の排気口近傍に取り付け空気層と排気口を連通したことにより、空気層内の空気が入れ替わり空気層の温度を低く保つことができる。
【００１７】
以下、本発明の実施の形態について、図面を参照しながら説明する。なお、この実施の形態によって本発明が限定されるものではない。
【００１８】
（実施の形態１）
図１から図３は、本発明の実施の形態１における誘導加熱調理器の図を示すものである。
【００１９】
図において、本体３１の外郭は内部部品を収容する下枠３２と、下枠３２の上方を塞ぎ周囲をプレート枠３３で囲んだトッププレート３４で構成されている。トッププレート３４は下枠３２の外周よりも外側に張り出し、さらにキッチンキャビネット５１の天面に設けた取り付け穴５２よりも幅と奥行きを大きくしてある。下枠３２を取り付け穴５２からキッチンキャビネット５１内に落とし込むと、下枠３２が取り付け穴５２から吊り下げられた状態で組み込まれる。トッププレート３４の内側には加熱コイルなどで構成された加熱部３５が配置され、トッププレート３４上に載置した鍋などの被加熱物を加熱する。加熱部３５の下方には加熱部３５の出力を制御する制御回路３６が設けられ、制御回路３６の横には冷却ファン３７が取り付けられている。冷却ファン３７近傍の下枠３２の底面には吸気口３８が設けられ、吸気口３８は吸気口カバー３９で覆われている。吸気口カバー３９の側面には吸気筒４０が出し入れ可能に取り付けられ、端面開口部４１の位置を引き出すことができるようにしてある。加熱部３５に通電すると冷却ファン３７も回転し、空気が端面開口部４１から吸気口３８を通って本体３１内に吸い込まれ、加熱部３５や制御回路３６側を冷却する。加熱部３５や制御回路３６で温められた空気はプレート枠３３の後方に設けた排気口４２から排気される。また、加熱部３５や制御回路３６の温度が過度に上昇しそうになった場合には制御回路３６が加熱部３５の出力を抑え保護するようになっている。キッチンキャビネット５１下部の空間にはオーブンレンジなどの熱機器５３が設置され、キッチンキャビネット５１の前面には熱機器５３の上端面と若干の隙間５４を開けて前面パネル５５が取り付けられている。
【００２０】
以上のように形成された誘導加熱調理器について、以下その動作、作用を説明する。
【００２１】
まず、誘導加熱調理器をキッチンキャビネット５１に設置する時には、下枠３２を取り付け穴５２に落とし込み本体１を位置決めする。そして、吸気筒４０を前面パネル５５側に引き出して、端面開口部４１を隙間５４に近接させる。
【００２２】
本体３１を電源に接続した後通電すると加熱部３５、制御回路３６が作動しトッププレート３４上に置いた被加熱物が加熱される。また、同時に冷却ファン３７が回転し、隙間５４を通してキッチンキャビネット５１の外側の空気が端面開口部４１から吸い込まれ、加熱部３５や制御回路３６側を冷却する。そして、加熱部３５や制御回路３６の過度の温度上昇が抑えられ、加熱部３５の高出力状態を維持することができる。
【００２３】
一方、熱機器５３を使用した場合には庫内５６の温度上昇とともに外郭５７が熱くなりその熱でキッチンキャビネット５１内の空気が温められる。しかし、端面開口部４１を隙間５４に近接させてあるため、キッチンキャビネット５１の外側の温められていない空気を吸い込むことができ、加熱部３５や制御回路３６を冷却することができる。その結果、熱機器５３を使用していない時と同様に加熱部３５の高出力状態を維持することができる。すなわち、誘導加熱調理器と熱機器５３を同時に使用することができ、使い勝手が良くなる。
【００２４】
このように、本実施の形態においては、吸気口カバーに吸気筒を取り付け、本体組込み後に吸気筒の端面開口部をキッチンキャビネットに設けた隙間に近接できるように伸長可能に取り付けたことにより、キッチンキャビネットの外側から冷却用の空気を吸い込んで本体内を冷却することができ、熱機器との同時使用が可能になる。
【００２５】
（実施の形態２）
図４は、本発明の実施の形態２における誘導加熱調理器を示している。実施の形態１と同一要素については同一符号を付してその説明を省略する。
【００２６】
本実施の形態における誘導加熱調理器は、吸気筒４０を縮めた時に、端面開口部４１が下枠３２の側面よりも内側に位置するように設けてある。本体３１をキッチンキャビネット５１に設置する時に吸気筒４０を縮めた状態にしておけば、本体３１を傾けたりすることなく下枠３２を上から取り付け穴５２に入れることができ、設置作業を楽に行うことができる。
【００２７】
このように、本実施の形態においては、吸気筒を縮めた時に端面開口部が下枠の側面よりも内側に位置するようにしたことにより、本体を傾けたりすることなく設置作業を楽に行うことができる。
【００２８】
（実施の形態３）
図５は、本発明の実施の形態３における誘導加熱調理器を示している。実施の形態１と同一要素については同一符号を付してその説明を省略する。
【００２９】
本実施の形態における誘導加熱調理器は、吸気口カバー３９を吸気口３８の中心に対し水平方向に回動可能に取り付け、さらに吸気筒４０の先端部４３を分離して吸気筒４０に設けた支点４４を中心に水平方向に回動可能に取り付けてある。キッチンキャビネット５１に設置後、吸気口カバー３９と先端部４３を回動させることによって吸気する位置を変えることができる。熱機器５３の仕様によっては前面上部に庫内５６の熱風を排気する庫内排気口５８が設けられている場合がある。そのような場合に、吸気する位置を変えることで熱機器５３の庫内排気を吸い込まないようにすることができる。
【００３０】
このように、本実施の形態においては、吸気口カバーを吸気口に対し回動可能に取り付けるとともに吸気筒の先端部を分離して水平方向に回動可能に取り付けたことにより、オーブンレンジの仕様によって吸気する位置を変え、庫内排気を吸い込まないようにすることができる。
【００３１】
（実施の形態４）
図６は、本発明の実施の形態４における誘導加熱調理器を示している。実施の形態１と同一要素については同一符号を付してその説明を省略する。
【００３２】
本実施の形態における誘導加熱調理器は、先端部４３を球形状にして吸気筒４０にはめ込み、吸気筒４０に対して上下左右方向に変位可能に取り付けてある。キッチンキャビネット５１および熱機器５３の仕様によっては隙間５４と吸気筒４０の位置が上下方向にずれている場合がある。そのような場合に、先端部４３を上下に変位させることで端面開口部４１と隙間５４の位置を合わせ吸気させることができる。また、吸気口カバー３９を回動させて位置を変えた場合には、先端部４３を水平方向に変位させることで端面開口部４１を隙間５４に近接させることができる。
【００３３】
このように、本実施の形態においては、吸気筒の端面開口部を上下方向に変位可能に取り付けたことにより、位置が上下方向にずれた端面開口部と隙間の位置を合わせ吸気させることができる。
【００３４】
（実施の形態５）
図７および図８は、本発明の実施の形態５における誘導加熱調理器を示している。実施の形態１と同一要素については同一符号を付してその説明を省略する。
【００３５】
本実施の形態における誘導加熱調理器は、端面開口部４１に対して平行な溝４５を上下に形成し、溝４５に端面開口部４１の一部を遮蔽する遮蔽板４５を摺動自在に取り付けてある。熱機器５３に庫内排気口５８が設けられている場合には、遮蔽板４５の位置をずらし吸気する位置を変えることで熱機器５３の庫内排気を吸い込まないようにすることができる。
【００３６】
このように、本実施の形態においては、端面開口部の一部を遮蔽する遮蔽板を端面開口部に対し摺動自在に取り付けたことにより、遮蔽板の位置をずらして吸気する位置を変えることができる。
【００３７】
（実施の形態６）
図９は、本発明の実施の形態６における誘導加熱調理器を示している。実施の形態１と同一要素については同一符号を付してその説明を省略する。
【００３８】
本実施の形態における誘導加熱調理器は、端面開口部４１に対して平行な溝４５を複数上下に形成し、複数の溝４５に対し端面開口部４１の一部を遮蔽する複数の遮蔽板４５を重ね合わせが可能なように一枚ずつ摺動自在に取り付けてある。遮蔽板４５の位置をずらし重ね合わせることで、端面開口部４１の開口面積を大きく取りながら吸気する位置を変えることができる。
【００３９】
このように、本実施の形態においては、遮蔽板を複数枚で構成するとともに遮蔽板を重ね合わせ可能に取り付けたことにより、端面開口部の開口面積を大きく取りながら吸気する位置を変えることができる。
【００４０】
（実施の形態７）
図１０および図１１は、本発明の実施の形態７における誘導加熱調理器を示している。実施の形態１と同一要素については同一符号を付してその説明を省略する。
【００４１】
本実施の形態における誘導加熱調理器は、吸気口カバー３９で下枠３２を覆い、下枠３９と熱機器５３の間に吸気口カバー３９で囲まれた空気層４７を形成している。空気層４７を形成したことにより、熱機器５３を使用した時の熱が下枠３９に伝わるのを防ぎ、本体３１内の温度上昇を低く抑えることができる。
【００４２】
このように、本実施の形態においては、吸気口カバーで下枠下面を覆い下枠の下面に吸気口カバーで囲まれた空気層を形成したことにより、キッチンキャビネット５１の外側から本体の下に設置した熱機器を使用した時の熱が下枠に伝わるのを防ぎ、本体内の温度上昇を低く抑えることができる。
【００４３】
（実施の形態８）
図１２は、本発明の実施の形態８における誘導加熱調理器を示している。実施の形態１と同一要素については同一符号を付してその説明を省略する。
【００４４】
本実施の形態における誘導加熱調理器は、下枠３２を貫通する連通パイプ４８を本体３１内側の排気口４２近傍に取り付け、空気層４７と排気口４２を連通してある。本体３１内の空気が排気される時に空気層４７の空気が流れに吸引されるため、空気層４７内の空気が入れ替わり空気層４７の温度を低く保つことができる。
【００４５】
このように、本実施の形態においては、下枠を貫通する連通パイプを本体内側の排気口近傍に取り付け空気層と排気口を連通したことにより、空気層内の空気が入れ替わり空気層の温度を低く保つことができる。
【産業上の利用可能性】
【００４６】
以上のように、本発明にかかる誘導加熱調理器はキッチンキャビネットの外側から冷却用の空気を吸い込んで本体内を冷却することができるので、誘導加熱調理器に限らずキッチンキャビネットに設置する加熱調理器に適用できる。
【図面の簡単な説明】
【００４７】
【図１】本発明の実施の形態１における誘導加熱調理器の断面図
【図２】本発明の実施の形態１における誘導加熱調理器の斜視図
【図３】本発明の実施の形態１における誘導加熱調理器の下面図
【図４】本発明の実施の形態２における誘導加熱調理器で吸気筒を縮めた状態の断面図
【図５】本発明の実施の形態３における誘導加熱調理器の下面図
【図６】本発明の実施の形態４における誘導加熱調理器の断面図
【図７】本発明の実施の形態５における誘導加熱調理器の斜視図
【図８】本発明の実施の形態５における誘導加熱調理器の要部拡大図
【図９】本発明の実施の形態６における誘導加熱調理器の要部の平面断面図
【図１０】本発明の実施の形態７における誘導加熱調理器の斜視図
【図１１】本発明の実施の形態７における誘導加熱調理器の断面図
【図１２】本発明の実施の形態８における誘導加熱調理器の断面図
【図１３】従来例における誘導加熱調理器の断面図
【図１４】従来例における誘導加熱調理器の斜視図
【符号の説明】
【００４８】
３１  本体
３２  下枠
３４  トッププレート
３５  加熱部
３６  制御回路
３７  冷却ファン
３８  吸気口
３９  吸気口カバー
４０  吸気筒
４１  端面開口部
４２  排気口
４３  先端部
４６  遮蔽板
４７  空気層
４８  連通パイプ
５１  キッチンキャビネット（キャビネット）
５２  取り付け穴
５４  隙間
【図１】
2007335087.tif 000003
【図２】
2007335087.tif 000004
【図３】
2007335087.tif 000005
【図４】
2007335087.tif 000006
【図５】
2007335087.tif 000007
【図６】
2007335087.tif 000008
【図７】
2007335087.tif 000009
【図８】
2007335087.tif 000010
【図９】
2007335087.tif 000011
【図１０】
2007335087.tif 000012
【図１１】
2007335087.tif 000013
【図１２】
2007335087.tif 000014
【図１３】
2007335087.tif 000015
【図１４】
2007335087.tif 000016